(57)【要約】【課題】  名札を均一に照明でき、発熱が少なく、花が傷みにくく、省エネで、コスト削減もでき、既存の木目模様の名札をも使用可能な生花用照明式名札立てを提供する。【解決手段】  花の提供者名を表示した名札を収納する名札ケースと、光源と、光源からの光を反射又は拡散して名札を照明可能な照明具を備え、名札ケースに名札を外部から視認可能な視認部を設け、光源及び照明具を名札ケースの背後に設けられた背面ケース内に収容し、照明具を背面ケース内であって名札の背面側に設けた。光源に蛍光灯又はＬＥＤを用いた。蛍光灯の場合、照明具として反射板を使用し、ＬＥＤの場合、拡散板を使用して光を面状に拡散できるようにした。名札ケースに縦又は横方向に開口された名札スリットを設けて名札を出し入れ可能とし、視認部を開口又は透視窓とした。背面ケースを、照明具取付け部を備え、フレーム側の前面が開口し、背面に反射具取付け部を備えたものとした。【選択図】図１
2011248226.tif 000002
【特許請求の範囲】
【請求項１】
供花の提供者名を表示した名札を収納可能な名札ケースに、当該名札を背面側から照明可能な光源が設けられ、名札に表示された提供者名が前記名札ケースの前面の視認部から視認できる生花用照明式名札立てにおいて、
前記名札ケースの背面に背面ケースが設けられ、前記光源が前記背面ケース内に設けられ、
前記背面ケース内に、前記光源からの光を反射又は拡散して名札をその背面側から照射する照明具を備え、
前記照明具は前記名札の背面側に設けられたことを特徴とする生花用照明式名札立て。
【請求項２】
請求項１記載の生花用照明式名札立てにおいて、
光源が蛍光灯であり、
照明具が蛍光灯からの出射光を反射する反射板であり、その照明具が蛍光灯の背面側に配置されたことを特徴とする供花用照明式名札立て生花用照明式名札立て。
【請求項３】
請求項１記載の生花用照明式名札立てにおいて、
光源がＬＥＤであり、
照明具がＬＥＤからの出射光を面状に拡散する拡散板であり、拡散板がＬＥＤの側方又は先方に配置されたことを特徴とする生花用照明式名札立て。
【請求項４】
請求項１乃至請求項３記載の生花用照明式名札立てにおいて、
名札ケースは名札を出し入れできる名札スリットと、名札を外部から視認できる視認部を備え、
前記名札スリットは縦方向又は横方向から名札を出し入れ可能であり、
前記視認部は名札スリットに挿し込まれた名札が外部から視認可能な開口又は透視窓であり、
背面ケースは光源取付け部と照明具取付け部を備え、前面が開口しているか又は透光板が設けられていることを特徴とする生花用照明式名札立て。
【発明の詳細な説明】
【技術分野】
【０００１】
本願発明は葬儀で供えられる生花用の名札立てに関し、名札ケースに収められた名札を背面から照明することのできる生花用照明式名札立てに関する。
【背景技術】
【０００２】
葬祭では遺族・親戚・知人・取引先企業などから故人に花を供える慣習があり、供えた花の背後には花の提供者の氏名、企業名等（以下、「提供者名」という。）を表示した名札が立てられるのが一般的である。
【０００３】
従来、図６に示すような名札立てＡが使用されている。この名札立てＡは、提供者名が表示された名札Ｂを出し入れ可能な名札収納ケースＣの下に支持棒Ｄを取り付けたものである。名札収納ケースＣは、前面に開口窓を備えた縦長の枠体（フレーム）Ｅの背面に背板Ｆがあり、フレームＥの上に屋根Ｇが設けられ、屋根Ｇ及びフレームＥの上面に名札Ｂを出し入れするためのスリットＨが開口されている。
【０００４】
前記名札収納ケースＣを使用する場合は、プラスチック製の桶（容器）Ｉ内に収容された吸水性のある発泡樹脂製の花生け器（通称「オアシス」：登録商標）Ｊに多くの生花ｆが挿し込まれ、その花生け器Ｊに名札収納ケースＣの支持棒Ｄが挿し込まれて固定され、名札収納ケースＣ内の名札が生花ｆよりも上に出て名札に書かれた提供者名が見えるようにする。
【０００５】
名札立ては前記以外にも各種あり、その一例として、名札をその背面から蛍光灯で照明するもの（特許文献１）、名札をその背面から面発光体で照明するもの（特許文献２）がある。
【先行技術文献】
【特許文献】
【０００６】
【特許文献１】特許第３８０６１５４号公報
【特許文献２】実用新案登録第３０７８８０４号公報
【発明の概要】
【発明が解決しようとする課題】
【０００７】
前記特許文献１記載の名札立ては、蛍光灯点灯時の発熱により花が傷み易いという課題があった。前記特許文献２記載の名札立ては面状発光体（エレクトロルミネッサンス）を使用しているため名札全面を均一に照明できるメリットはあるものの、面状発光体が普及していないためコスト高になるという課題があった。
【０００８】
本願発明の解決課題は、名札全面を均一に照明でき、点灯時の発熱が少なく、花が傷みにくく、省エネで、コスト削減もでき、従来から使用されている木目模様の紙の名札を使用することもできる生花用照明式名札立てを提供することにある。
【課題を解決するための手段】
【０００９】
本願発明の生花用照明式名札立ては、供花の提供者名を表示した名札を収納可能な名札ケースに、当該名札を背面側から照明可能な光源が設けられ、名札に表示された提供者名が前記名札ケースの前面の視認部から視認できる生花用照明式名札立てにおいて、前記名札ケースの背面に背面ケースが設けられ、前記光源が前記背面ケース内に設けられ、前記背面ケース内に、前記光源からの光を反射又は拡散して名札をその背面側から照射する照明具を備え、前記照明具が前記名札の背面側に設けられたものである。前記生花用照明式名札立てにおいて、光源を蛍光灯とし、照明具を蛍光灯からの出射光を反射する反射板として、その反射板を蛍光灯の背面側に配置することもできる。光源をＬＥＤとし、照明具をＬＥＤからの出射光を面状に拡散する拡散板として、その拡散板をＬＥＤの側方又は先方に配置することもできる。
【００１０】
前記生花用照明式名札立てにおいて、名札ケースは名札を出し入れできる名札スリットと、名札を外部から視認できる視認部を備え、前記名札スリットは縦方向又は横方向から名札を出し入れ可能であり、前記視認部は名札スリットに挿し込まれた名札が外部から視認可能な開口又は透視窓であり、背面ケースは光源取付け部と照明具取付け部を備え、前面が開口しているか又は透光板が設けられたものとすることもできる。
【発明の効果】
【００１１】
本願発明の生花用照明式名札立ては次のような効果がある。
（１）名札を背面から照明可能な光源を備えているので、名札に表示されている提供者名が明るく見える。
（２）光源からの光を名札の背面に向けて反射する反射板（照明具）が設けられているので、弱い光でも名札を十分に照明できる。このため、小型で、消費電力が少なく、発熱量が少ない光源を使用可能であり、生花用照明式名札立ての小型化、消費電力低減に伴うコストダウン、発熱量の低減に伴う生花の損傷低減等が実現される。
（３）照明具が設けられているため、名札全体を均一に照明することができ、名札の提供者名が見易くなる。
（４）光源にＬＥＤを用いた場合、蛍光灯を用いた場合に比べて小型、省電力となり経済的である。この場合、ＬＥＤと名札との間に、拡散板（照明具）を設けることによって、指向性のあるＬＥＤ光でも名札全体を万遍なく照明することができる。
（５）既存の木目模様の名札を利用できるので、既存の名札が無駄にならない。
（６）既存の名札ケースの背板を外して、名札ケースの背面側に光源を取付けることができるため、既存の名札ケースを有効活用できる。
【図面の簡単な説明】
【００１２】
【図１】（ａ）は本願発明の生花用照明式名札立ての一例を示す斜視図、（ｂ）は背面ケースに蛍光灯を取付ける場合の分解説明図。
【図２】本願発明の生花用照明式名札立ての周枠と屋根の構造を示す分解説明図。
【図３】本願発明の生花用照明式名札立ての光源にＬＥＤを使用する場合の一例であって、ＬＥＤを背面ケースの幅方向両側方に取付けた状態を示す説明図。
【図４】（ａ）は本願発明の生花用照明式名札立ての光源にＬＥＤを使用する場合の一例であって、ＬＥＤを背面ケースの上下に取付けた状態を示す説明図、（ｂ）はＬＥＤを使用する場合の他例を示す平面説明図、（ｃ）は（ｂ）における拡散板（照明具）の斜視図。
【図５】本願発明の生花用照明式名札立ての一使用例を示す説明図であって、（ａ）は桶に花生け器を入れた状態を示すもの、（ｂ）は花生け器に花を挿した状態を示すもの、（ｃ）は花生け器に本願発明の生花用照明式名札立てを固定して、名札を照明した状態を示すもの。
【図６】従来の名札立ての一例を示す斜視図。
【発明を実施するための形態】
【００１３】
（生花用照明式名札立ての実施形態）
本願発明の生花用照明式名札立ての一例を、図面を参照して説明する。この実施形態の生花用照明式名札立ては図１に示すように、生花ｆの提供者名を表示した名札１を収納可能な名札ケース２を備えている。
【００１４】
前記名札１は表面が木目模様である既存の紙製木目模様の名札を使用することができる。その名札１は先端が山形に形成された長方形状であり、表面に供花の提供者名を表示するものである。名札１は他の形状、材質、例えば薄い木製シートであってもよい。
【００１５】
名札ケース２は、図２に示すように、既存のこの種の名札ケースと同様にプラスチック製であり、縦長方形の周枠３の上縁に山形の屋根（ひさし）４が取付けられており、周枠３の肉厚内に名札スリット５が形成されている。名札スリット５は周枠３の左右の縦材３ａ、３ｂに縦溝（縦スリット）６、７が縦向きに形成され、周枠３の横材（底材）３ｃに底溝（底スリット）８が横向きに形成され、屋根４に横細長の名札出し入れ口９が開口され、その名札出し入れ口９と前記縦溝６、７が連通して、名札出し入れ口９から挿し込まれる名札１が縦溝６、７から底溝８まで挿し込まれ、縦溝６、７及び底溝８に挿し込まれている名札１を名札出し入れ口９から抜き出すことができるようにしてある。この名札ケース２は周枠３の縦材３ａ、３ｂと底材３ｃと屋根４の内側に周枠３の表裏面に貫通する開口部１０が形成されており、名札スリット５に挿し込まれた名札１の表面がこの開口部１０から表側に露出して、名札１の表面に表示されている提供者名が外部から視認され、名札１の背面から照明光を照射できるようにしてある。
【００１６】
前記開口部１０の裏側には、図２に示すような光を透過可能な板（透光板）２１を設けることもできる。この場合は、屋根４の名札出し入れ口９から縦溝６、７及び底溝８に挿し込まれる名札１を透光板２１の前面に配置して名札１の背面を透光板２１で支持することができ、透光板２１の背面から透光板２１を透過して名札１に照明光を照射することができ、照明された名札１を開口部１０の前面（正面）から視認することができる。
【００１７】
名札ケース２はプラスチック以外の材質製、例えば、木製、アルミ製等とすることもできる。前記名札ケース２は名札１を上下方向に出し入れするものでるが、名札ケース２は名札１を左右に出し入れするものであってもよい。この場合は名札１を挿し込むスリットを横向きに設ける。
【００１８】
背面ケース１１（図１（ｂ））は前記名札ケース２の背面に取付けられている。この背面ケース１１は二枚の反射板（照明具）１２、１３と、光源取付け部１４により平面視略Ｖ字状（略台形状）に形成されており、その上面が上蓋１１ａで、下面が下蓋１１ｂで閉塞されて、二枚の照明具１２、１３と光源取付け部１４と上蓋１１ａと下蓋１１ｂの内側に光源１６と照明具１２、１３を収容可能な空間１５が形成されている。二枚の照明具１２、１３の先方（空間１５の先方）は開口しており、それら二枚の照明具１２、１３の前端縁が前記名札ケース２の周枠３の左右の縦材３ａ、３ｂ（図２）の背面に取付けられている。二枚の照明具１２、１３と光源取付け部１４は樹脂で一体成型することもできるし、別体成型したものを釘やネジ等の連結具で取付け固定したり、接着剤で接着固定したりすることができる。背面ケース１１は軽量、小型化の面からプラスチック製とするのが好ましいが、それ以外の材質製、例えば、アルミ製、木材製等とすることもできる。本発明では、名札ケース２の背面に透光板２１（図２）を設けずに、背面ケース１１の空間１５の先方に図２に示すような透光板２１を取付けることもできる。
【００１９】
二枚の照明具１２、１３は名札ケース２に挿し込まれた名札１の背面に向けて配置されて、夫々の照明具１２、１３から反射される反射光が名札１の背面に照射されるようにしてある。照明具１２、１３は軽量、薄型のものが適し、例えば、鏡、鏡面仕上げのアルミ薄板、樹脂製薄板に反射膜をコーティングや蒸着したもの、アルミ箔を貼り付けたもの等が適する。
【００２０】
背面ケース１１の光源取付け部１４（図１（ｂ））の前面上下には光源１６を取付け可能な光源装着具（蛍光灯用ソケット）１６ａが取付けられている。
【００２１】
背面ケース１１の背面の縦方向二箇所には支持棒１８（図１）を図６のようにセットするための上支持具１７ａと下支持具１７ｂ（図１）が設けられている。上支持具１７ａと下支持具１７ｂは既存のそれらと同様の形状、構造であり、上支持具１７ａは上面及び周面が閉塞され下面が開口された箱状であり、下支持具１７ｂは上下に貫通する角型の枠状である。この上支持具１７ａと下支持具１７ｂに支持棒１８をセットするには、支持棒１８を下支持具１７ｂの下方からその上方に挿し込んで貫通させ、その支持棒１８（図１）の先端を上支持具１７ａ内に挿し込む。これにより背面ケース１１を支持棒１８に支持することができ、この支持棒１８を前記花生け器Ｊ（図５（ａ））に挿し込むことにより、本願発明の生花用照明式名札立てを花生け器Ｊに支持することができる。支持棒１８は背面ケース１１の裏面に固定することもできる。固定する場合は不使用時に背面ケース１１の底面から下方に突出しないように背面ケース１１の裏側に折畳んだり、背面ケース１１の裏側に縮めたりすることができるようにすることもできる。
【００２２】
図１に示す上支持部１７ａ、下支持部１７ｂは背面ケース１１と一体に樹脂成型してあるが、背面ケース１１と別体成型したものを、背面ケース１１に接着とか他の固定手段で取付けることもできる。上支持部１７ａ、下支持部１７ｂ及び支持棒１８はプラスチック製、アルミ製、木製といった他の材質製とすることもできる。背面ケース１１への支持棒１８の取付けは上支持部１７ａ、下支持部１７ｂではなく、接着剤、ネジ、釘、両面テープといった各種固定手段で行うこともできる。
【００２３】
前記背面ケース１１の形状は一例であり、他の形状とすることもできる。例えば、光源取付け部１４を三枚以上としたり、大きさ（サイズ）を替えたりすることもできる。照明具１２、１３は場合によって略半円筒状にすることもできる。光源１６として蛍光灯を使用する場合は二本以上とすることもでき、その場合は二本以上の蛍光灯を横方向又は縦方向に間隔をあけて配置することができる。
【００２４】
図示した光源１６は蛍光灯であり、蛍光灯用ソケット１６ａに電源コード１９（図１）が接続されている。電源コード１９は背面ケース１１から外側に引き出して、図示しない商用電源コンセントに抜き挿し可能である。電源は商用電源に限らず電池とすることもできる。電源コード１９には電源スイッチを設け、それを背面ケース１１の内部又は外部で操作して、蛍光灯をＯＮ、ＯＦＦできるようにしてある。
【００２５】
光源１６には図３、図４のようにＬＥＤチップやＬＥＤモジュール等（以下、「ＬＥＤ」という。）２０を使用することもできる。ＬＥＤ２０からの光は指向性があるため、そのまま名札１を照明したのでは点照明になって名札１の全面が照明されにくいので、ＬＥＤ光の場合は面状に拡散させて使用するのがよい。図３ではＬＥＤ２０を背面ケース１１の幅方向両側の光源取付け部１４に、その縦方向に間隔をあけて取付けてある。この場合、ＬＥＤ光が横向きに入射し、両ＬＥＤ２０の間に拡散板（照明具）２２を配置して、照明具２２の幅方向両側面から入射したＬＥＤ光が照明具２２の全面に拡散され（広がり）、その光で照明具２２の先方に配置される名札１（図１）の全面を略均一に照明できるようにしてある。場合によっては、ＬＥＤ２０は左右いずれか一方の光源取付け部１４にだけ取付けることもできる。照明具２２には既存のものを使用することができる。
【００２６】
図４（ａ）に示すものは光源取付け部１４を背面ケース１１内の上下に設け、夫々の光源取付け部１４の横方向に間隔をあけてＬＥＤ２０を取付け、上下のＬＥＤ２０からのＬＥＤ光がその間に配置された照明具２２の上面と下面から入射して、ＬＥＤ光が照明具２２の全面に拡散され（広がり）、その光で照明具２２の先方に配置される名札１の全面を略均一に照明できるようにしてある。ＬＥＤ２０は上下いずれか一方の光源取付け部１４にだけ取付けることもできる。
【００２７】
ＬＥＤ２０は背面ケース１１の光源取付け部１４に縦方向に配列して取付け、その前面に照明具２２を縦に配置することもできる（図４（ｂ））。この照明具２２はその背面から照射されるＬＥＤ光を全面に略均一に面状に拡散して前面から照射できるものを使用して、照明具２２の先方に配置される名札１の略全面を均一に照明できるようにする。
【００２８】
（生花用照明式名札立ての使用例）
本願発明の生花用照明式名札立ての使用例を図面を参照して説明する。
（１）図５（ａ）に示すようにプラスチック製の桶Ｉを支持脚Ｋにセットし、桶Ｉの中に花生け器Ｊを入れる。
（２）桶Ｉ内に水を入れて花生け器Ｊに水を十分に含ませる。桶Ｉ内の花生け器Ｊに生花ｆを挿す。このとき、一部には生花ｆを挿さず、生花用照明式名札立ての支持棒１８を挿すためのスペースＳを確保しておく。
（３）花生け器Ｊに本願発明の生花用照明式名札立てを挿し込んで立てる。このとき、生花用照明式名札立ての背面ケース１１の支持部１７に挿し込んだ支持棒１８を、花生け器Ｊに挿された生花ｆの背後に挿しこむ。生花用照明式名札立ての名札１が生花ｆで隠れないように、名札１を生花ｆの上方に突出させる。
（４）図５（ｃ）に示すように、光源１６の電源コード１９のプラグを電源コンセントに挿し込み、電源スイッチを入れて光源１６を点灯させ、名札１をその背面から照明して、名札１に表示されている提供者名を鮮明に表示させる。
【産業上の利用可能性】
【００２９】
生花用照明式名札立ての背面ケース１１は、既存の枠体Ｅ（図６）に接合可能な構造とすることもできる。この場合、既存の枠体Ｅやそのそれを成型する金型といった設備を活用できるので、それらの無駄は無く経済的である。
【符号の説明】
【００３０】
１      名札
２      名札ケース
３      周枠
３ａ    縦材
３ｂ    縦材
３ｃ    底材（横材）
４      屋根（ひさし）
５      名札スリット
６      縦溝
７      縦溝
８      底溝
９      名札出し入れ口
１０    開口部
１１    背面ケース
１１ａ  上蓋
１１ｂ  下蓋
１２    反射板（照明具）
１３    反射板（照明具）
１４    光源取付け部
１５    空間
１６    光源
１６ａ  光源装着具（蛍光灯用ソケット）
１７    支持部
１７ａ  上支持具
１７ｂ  下支持具
１８    支持棒
１９    電源コード
２０    ＬＥＤ
２１    透光板
２２    拡散板（照明具）
Ａ      名札立て
Ｂ      名札
Ｃ      名札収納ケース
Ｄ      支持棒
Ｅ      枠体（フレーム）
Ｆ      背板
Ｇ      屋根
Ｈ      スリット
Ｉ      桶
Ｊ      花生け器
Ｋ      支持脚
ｆ      生花
【図１】
2011248226.tif 000003
【図２】
2011248226.tif 000004
【図３】
2011248226.tif 000005
【図４】
2011248226.tif 000006
【図５】
2011248226.tif 000007
【図６】
2011248226.tif 000008
【手続補正書】
【提出日】平成22年9月6日(2010.9.6)
【手続補正１】
【補正対象書類名】明細書
【補正対象項目名】全文
【補正方法】変更
【補正の内容】
【発明の詳細な説明】
【技術分野】
【０００１】
本願発明は葬儀で供えられる生花用の名札立てに関し、名札ケースに収められた名札を背面から照明することのできる葬儀用照明式名札立てに関する。
【背景技術】
【０００２】
葬祭では遺族・親戚・知人・取引先企業などから故人に花を供える慣習があり、供えた花の背後には花の提供者の氏名、企業名等（以下、「提供者名」という。）を表示した名札が立てられるのが一般的である。
【０００３】
従来、図６に示すような名札立てＡが使用されている。この名札立てＡは、提供者名が表示された名札Ｂを出し入れ可能な名札収納ケースＣの下に支持棒Ｄを取り付けたものである。名札収納ケースＣは、前面に開口窓を備えた縦長の枠体（フレーム）Ｅの背面に背板Ｆがあり、フレームＥの上に屋根Ｇが設けられ、屋根Ｇ及びフレームＥの上面に名札Ｂを出し入れするためのスリットＨが開口されている。
【０００４】
前記名札収納ケースＣを使用する場合は、プラスチック製の桶（容器）Ｉ内に収容された吸水性のある発泡樹脂製の花生け器（通称「オアシス」：登録商標）Ｊに多くの生花ｆが挿し込まれ、その花生け器Ｊに名札収納ケースＣの支持棒Ｄが挿し込まれて固定され、名札収納ケースＣ内の名札が生花ｆよりも上に出て名札に書かれた提供者名が見えるようにする。
【０００５】
名札立ては前記以外にも各種あり、その一例として、名札をその背面から蛍光灯で照明するもの（特許文献１）、名札をその背面から面発光体で照明するもの（特許文献２）がある。
【先行技術文献】
【特許文献】
【０００６】
【特許文献１】特許第３８０６１５４号公報
【特許文献２】実用新案登録第３０７８８０４号公報
【発明の概要】
【発明が解決しようとする課題】
【０００７】
前記特許文献１記載の名札立ては、蛍光灯点灯時の発熱により花が傷み易いという課題があった。前記特許文献２記載の名札立ては面状発光体（エレクトロルミネッサンス）を使用しているため名札全面を均一に照明できるメリットはあるものの、面状発光体が普及していないためコスト高になるという課題があった。
【０００８】
本願発明の解決課題は、名札全面を均一に照明でき、点灯時の発熱が少なく、花が傷みにくく、省エネで、コスト削減もでき、従来から使用されている木目模様の紙の名札を使用することもできる生花用照明式名札立てを提供することにある。
【課題を解決するための手段】
【０００９】
本願発明の葬儀用照明式名札立ての一例は、葬儀用生花を生ける桶内に差し込んで葬儀用生花の上方に突出させる葬儀用名札立てにおいて、葬儀用名札立ては、葬儀用生花提供者名が表示された名札を出し入れ可能な名札ケースと、その名札ケースを支持する支持棒と、名札ケースに入れた名札をその背面から照明する照明装置を備え、前記名札ケースは、底枠材と両側枠材と両側枠材側に下り傾斜となる屋根とで囲われた縦長方形の周枠であり、前記屋根に、上部が前記屋根の下り傾斜角度と同じ傾斜角度で下り傾斜する山形であり、表面が木目模様である既存の名札を差込み可能な名札出し入れ口が開口され、前記側枠材の肉厚内に、前記名札出し入れ口から差込まれる名札の幅方向側縁を差込み可能な縦溝が、前記名札出し入れ口に連通して縦向きに設けられ、前記底枠の肉厚内に、前記縦溝に差込まれた名札の底縁を差込み可能な底溝が、前記縦溝の下端に連通して設けられて、前記名札出し入れ口から差込まれた名札の上縁部がその名札出し入れ口内に、両側縁部が前記縦溝内に、底縁部が前記底溝に夫々支持されるようにしてあり、前記周枠は底枠材と両側枠材と屋根で囲われた内側を開口させ、その開口部を視認部として、前記名札出し入れ口から前記縦溝及び前記底溝に差込まれて名札出し入れ口、縦溝、底溝に支持された名札の表面に表示されている葬儀用生花提供者名が前記視認部から視認できるようにすると共に名札の背面から照射されて名札の先方に透過する照射光がその開口部から外部に透過できるようにし、前記照明装置は、前記名札ケースの背面に設けられた縦長の背面ケースと、背面ケース内の光源取付け部に縦向きに取付けられた蛍光灯と、背面ケース内面に設けられた反射面を備え、前記背面ケースは縦長であり上下及び周囲が閉塞されて前面が開口し、その開口前面を前記視認部に対向させて前記名札ケースの背面に取付けられ、前記反射面が前記背面ケースの内面に設けられ、前記反射面は前記視認部に向けて配置されて前記蛍光灯からの光を視認部に向けて反射して、名札をその背面から照明できるようにしてあり、前記背面ケースの外側に二以上の支持部が設けられ、それら二以上の支持部は前記背面ケースに上下に離れて設けられ、前記支持棒は縦長であり、支持棒の上部は前記二以上の支持部に脱着可能であり、前記支持部へ支持棒上部を取付けると背面ケースの底面よりも下方まで突出する支持棒の突出部は前記桶内に挿し込むことができ、その挿し込みにより前記名札ケースが前記桶内の葬儀用生花の上方に突出する長さのものである。
【００１０】
本願発明の葬儀用照明式名札立ての他の一例は、葬儀用生花を生ける桶内に差し込んで葬儀用生花の上方に突出させる葬儀用名札立てにおいて、葬儀用名札立ては、葬儀用生花提供者名が表示された名札を出し入れ可能な名札ケースと、その名札ケースを支持する支持棒と、名札ケースに入れた名札をその背面から照明する照明装置を備え、前記名札ケースは、底枠材と両側枠材と両側枠材側に下り傾斜となる屋根とで囲われた縦長方形の周枠であり、前記屋根に、上部が前記屋根の下り傾斜角度と同じ傾斜角度で下り傾斜する山形であり、表面が木目模様である既存の名札を差込み可能な名札出し入れ口が開口され、前記側枠材の肉厚内に、前記名札出し入れ口から差込まれる名札の幅方向側縁を差込み可能な縦溝が、前記名札出し入れ口に連通して縦向きに設けられ、前記底枠の肉厚内に、前記縦溝に差込まれた名札の底縁を差込み可能な底溝が、前記縦溝の下端に連通して設けられて、前記名札出し入れ口から差込まれた名札の上縁部がその名札出し入れ口内に、両側縁部が前記縦溝内に、底縁部が前記底溝に夫々支持されるようにしてあり、前記周枠は底枠材と両側枠材と屋根で囲われた内側を開口させ、その開口部を視認部として、前記名札出し入れ口から前記縦溝及び前記底溝に差込まれて名札出し入れ口、縦溝、底溝に支持された名札の表面に表示されている葬儀用生花提供者名が前記視認部から視認できるようにすると共に名札の背面から照射されて名札の先方に透過する照射光がその開口部から外部に透過できるようにし、前記照明装置は、前記名札ケースの背面に設けられた縦長の背面ケースと、背面ケース内の光源取付け部に縦方向に取付けられたＬＥＤと、背面ケース内に設けられてＬＥＤからの光を拡散してその拡散光により前記名札をその背面から照明する拡散板を備え、前記背面ケースは縦長であり上下及び周囲が閉塞されて前面が開口し、その開口前面を前記視認部に対向させて前記名札ケースの背面に取付けられ、前記反射面が前記背面ケースの内面に設けられ、前記反射面は前記視認部に向けて配置されて前記蛍光灯からの光を視認部に向けて反射して、名札をその背面から照明できるようにしてあり、前記背面ケースの外側に二以上の支持部が設けられ、それら二以上の支持部は前記背面ケースに上下に離れて設けられ、前記支持棒は縦長であり、支持棒の上部は前記二以上の支持部に脱着可能であり、前記支持部へ支持棒上部を取付けると背面ケースの底面よりも下方まで突出する支持棒の突出部は前記桶内に挿し込むことができ、その挿し込みにより前記名札ケースが前記桶内の葬儀用生花の上方に突出する長さのものである。この生花用照明式名札立てにおいては、ＬＥＤを、背面ケースの幅方向両側に設けられた光源取付け部に、その縦方向に間隔をあけて複数個取付けたり、背面ケースの上下に設けられた光源取付け部に、その横方向に間隔をあけて複数個取付けたりすることもできる。
【発明の効果】
【００１１】
本願発明の生花用照明式名札立ては次のような効果がある。
（１）名札を背面から照明可能な光源を備えているので、名札に表示されている提供者名が明るく見える。
（２）光源からの光を名札の背面に向けて反射する反射板（照明具）が設けられているので、弱い光でも名札を十分に照明できる。このため、小型で、消費電力が少なく、発熱量が少ない光源を使用可能であり、生花用照明式名札立ての小型化、消費電力低減に伴うコストダウン、発熱量の低減に伴う生花の損傷低減等が実現される。
（３）照明具が設けられているため、名札全体を均一に照明することができ、名札の提供者名が見易くなる。
（４）光源にＬＥＤを用いた場合、蛍光灯を用いた場合に比べて小型、省電力となり経済的である。この場合、ＬＥＤと名札との間に、拡散板（照明具）を設けることによって、指向性のあるＬＥＤ光でも名札全体を万遍なく照明することができる。
（５）既存の木目模様の名札を利用できるので、既存の名札が無駄にならない。
（６）既存の名札ケースの背板を外して、名札ケースの背面側に光源を取付けることができるため、既存の名札ケースを有効活用できる。
【図面の簡単な説明】
【００１２】
【図１】（ａ）は本願発明の生花用照明式名札立ての一例を示す斜視図、（ｂ）は背面ケースに蛍光灯を取付ける場合の分解説明図。
【図２】本願発明の生花用照明式名札立ての周枠と屋根の構造を示す分解説明図。
【図３】本願発明の生花用照明式名札立ての光源にＬＥＤを使用する場合の一例であって、ＬＥＤを背面ケースの幅方向両側方に取付けた状態を示す説明図。
【図４】（ａ）は本願発明の生花用照明式名札立ての光源にＬＥＤを使用する場合の一例であって、ＬＥＤを背面ケースの上下に取付けた状態を示す説明図、（ｂ）はＬＥＤを使用する場合の他例を示す平面説明図、（ｃ）は（ｂ）における拡散板（照明具）の斜視図。
【図５】本願発明の生花用照明式名札立ての一使用例を示す説明図であって、（ａ）は桶に花生け器を入れた状態を示すもの、（ｂ）は花生け器に花を挿した状態を示すもの、（ｃ）は花生け器に本願発明の生花用照明式名札立てを固定して、名札を照明した状態を示すもの。
【図６】従来の名札立ての一例を示す斜視図。
【発明を実施するための形態】
【００１３】
（生花用照明式名札立ての実施形態）
本願発明の生花用照明式名札立ての一例を、図面を参照して説明する。この実施形態の生花用照明式名札立ては図１に示すように、生花ｆの提供者名を表示した名札１を収納可能な名札ケース２を備えている。
【００１４】
前記名札１は表面が木目模様である既存の紙製木目模様の名札を使用することができる。その名札１は先端が山形に形成された長方形状であり、表面に供花の提供者名を表示するものである。名札１は他の形状、材質、例えば薄い木製シートであってもよい。
【００１５】
名札ケース２は、図２に示すように、既存のこの種の名札ケースと同様にプラスチック製であり、縦長方形の周枠３の上縁に山形の屋根（ひさし）４が取付けられており、周枠３の肉厚内に名札スリット５が形成されている。名札スリット５は周枠３の左右の縦材３ａ、３ｂに縦溝（縦スリット）６、７が縦向きに形成され、周枠３の横材（底材）３ｃに底溝（底スリット）８が横向きに形成され、屋根４に横細長の名札出し入れ口９が開口され、その名札出し入れ口９と前記縦溝６、７が連通して、名札出し入れ口９から挿し込まれる名札１が縦溝６、７から底溝８まで挿し込まれ、縦溝６、７及び底溝８に挿し込まれている名札１を名札出し入れ口９から抜き出すことができるようにしてある。この名札ケース２は周枠３の縦材３ａ、３ｂと底材３ｃと屋根４の内側に周枠３の表裏面に貫通する開口部１０が形成されており、名札スリット５に挿し込まれた名札１の表面がこの開口部１０から表側に露出して、名札１の表面に表示されている提供者名が外部から視認され、名札１の背面から照明光を照射できるようにしてある。
【００１６】
前記開口部１０の裏側には、図２に示すような光を透過可能な板（透光板）２１を設けることもできる。この場合は、屋根４の名札出し入れ口９から縦溝６、７及び底溝８に挿し込まれる名札１を透光板２１の前面に配置して名札１の背面を透光板２１で支持することができ、透光板２１の背面から透光板２１を透過して名札１に照明光を照射することができ、照明された名札１を開口部１０の前面（正面）から視認することができる。
【００１７】
名札ケース２はプラスチック以外の材質製、例えば、木製、アルミ製等とすることもできる。前記名札ケース２は名札１を上下方向に出し入れするものでるが、名札ケース２は名札１を左右に出し入れするものであってもよい。この場合は名札１を挿し込むスリットを横向きに設ける。
【００１８】
背面ケース１１（図１（ｂ））は前記名札ケース２の背面に取付けられている。この背面ケース１１は二枚の反射板（照明具）１２、１３と、光源取付け部１４により平面視略Ｖ字状（略台形状）に形成されており、その上面が上蓋１１ａで、下面が下蓋１１ｂで閉塞されて、二枚の照明具１２、１３と光源取付け部１４と上蓋１１ａと下蓋１１ｂの内側に光源１６と照明具１２、１３を収容可能な空間１５が形成されている。二枚の照明具１２、１３の先方（空間１５の先方）は開口しており、それら二枚の照明具１２、１３の前端縁が前記名札ケース２の周枠３の左右の縦材３ａ、３ｂ（図２）の背面に取付けられている。二枚の照明具１２、１３と光源取付け部１４は樹脂で一体成型することもできるし、別体成型したものを釘やネジ等の連結具で取付け固定したり、接着剤で接着固定したりすることができる。背面ケース１１は軽量、小型化の面からプラスチック製とするのが好ましいが、それ以外の材質製、例えば、アルミ製、木材製等とすることもできる。本発明では、名札ケース２の背面に透光板２１（図２）を設けずに、背面ケース１１の空間１５の先方に図２に示すような透光板２１を取付けることもできる。
【００１９】
二枚の照明具１２、１３は名札ケース２に挿し込まれた名札１の背面に向けて配置されて、夫々の照明具１２、１３から反射される反射光が名札１の背面に照射されるようにしてある。照明具１２、１３は軽量、薄型のものが適し、例えば、鏡、鏡面仕上げのアルミ薄板、樹脂製薄板に反射膜をコーティングや蒸着したもの、アルミ箔を貼り付けたもの等が適する。
【００２０】
背面ケース１１の光源取付け部１４（図１（ｂ））の前面上下には光源１６を取付け可能な光源装着具（蛍光灯用ソケット）１６ａが取付けられている。
【００２１】
背面ケース１１の背面の縦方向二箇所には支持棒１８（図１）を図６のようにセットするための上支持具１７ａと下支持具１７ｂ（図１）が設けられている。上支持具１７ａと下支持具１７ｂは既存のそれらと同様の形状、構造であり、上支持具１７ａは上面及び周面が閉塞され下面が開口された箱状であり、下支持具１７ｂは上下に貫通する角型の枠状である。この上支持具１７ａと下支持具１７ｂに支持棒１８をセットするには、支持棒１８を下支持具１７ｂの下方からその上方に挿し込んで貫通させ、その支持棒１８（図１）の先端を上支持具１７ａ内に挿し込む。これにより背面ケース１１を支持棒１８に支持することができ、この支持棒１８を前記花生け器Ｊ（図５（ａ））に挿し込むことにより、本願発明の生花用照明式名札立てを花生け器Ｊに支持することができる。支持棒１８は背面ケース１１の裏面に固定することもできる。固定する場合は不使用時に背面ケース１１の底面から下方に突出しないように背面ケース１１の裏側に折畳んだり、背面ケース１１の裏側に縮めたりすることができるようにすることもできる。
【００２２】
図１に示す上支持部１７ａ、下支持部１７ｂは背面ケース１１と一体に樹脂成型してあるが、背面ケース１１と別体成型したものを、背面ケース１１に接着とか他の固定手段で取付けることもできる。上支持部１７ａ、下支持部１７ｂ及び支持棒１８はプラスチック製、アルミ製、木製といった他の材質製とすることもできる。背面ケース１１への支持棒１８の取付けは上支持部１７ａ、下支持部１７ｂではなく、接着剤、ネジ、釘、両面テープといった各種固定手段で行うこともできる。
【００２３】
前記背面ケース１１の形状は一例であり、他の形状とすることもできる。例えば、光源取付け部１４を三枚以上としたり、大きさ（サイズ）を替えたりすることもできる。照明具１２、１３は場合によって略半円筒状にすることもできる。光源１６として蛍光灯を使用する場合は二本以上とすることもでき、その場合は二本以上の蛍光灯を横方向又は縦方向に間隔をあけて配置することができる。
【００２４】
図示した光源１６は蛍光灯であり、蛍光灯用ソケット１６ａに電源コード１９（図１）が接続されている。電源コード１９は背面ケース１１から外側に引き出して、図示しない商用電源コンセントに抜き挿し可能である。電源は商用電源に限らず電池とすることもできる。電源コード１９には電源スイッチを設け、それを背面ケース１１の内部又は外部で操作して、蛍光灯をＯＮ、ＯＦＦできるようにしてある。
【００２５】
光源１６には図３、図４のようにＬＥＤチップやＬＥＤモジュール等（以下、「ＬＥＤ」という。）２０を使用することもできる。ＬＥＤ２０からの光は指向性があるため、そのまま名札１を照明したのでは点照明になって名札１の全面が照明されにくいので、ＬＥＤ光の場合は面状に拡散させて使用するのがよい。図３ではＬＥＤ２０を背面ケース１１の幅方向両側の光源取付け部１４に、その縦方向に間隔をあけて取付けてある。この場合、ＬＥＤ光が横向きに入射し、両ＬＥＤ２０の間に拡散板（照明具）２２を配置して、照明具２２の幅方向両側面から入射したＬＥＤ光が照明具２２の全面に拡散され（広がり）、その光で照明具２２の先方に配置される名札１（図１）の全面を略均一に照明できるようにしてある。場合によっては、ＬＥＤ２０は左右いずれか一方の光源取付け部１４にだけ取付けることもできる。照明具２２には既存のものを使用することができる。
【００２６】
図４（ａ）に示すものは光源取付け部１４を背面ケース１１内の上下に設け、夫々の光源取付け部１４の横方向に間隔をあけてＬＥＤ２０を取付け、上下のＬＥＤ２０からのＬＥＤ光がその間に配置された照明具２２の上面と下面から入射して、ＬＥＤ光が照明具２２の全面に拡散され（広がり）、その光で照明具２２の先方に配置される名札１の全面を略均一に照明できるようにしてある。ＬＥＤ２０は上下いずれか一方の光源取付け部１４にだけ取付けることもできる。
【００２７】
ＬＥＤ２０は背面ケース１１の光源取付け部１４に縦方向に配列して取付け、その前面に照明具２２を縦に配置することもできる（図４（ｂ））。この照明具２２はその背面から照射されるＬＥＤ光を全面に略均一に面状に拡散して前面から照射できるものを使用して、照明具２２の先方に配置される名札１の略全面を均一に照明できるようにする。
【００２８】
（生花用照明式名札立ての使用例）
本願発明の生花用照明式名札立ての使用例を図面を参照して説明する。
（１）図５（ａ）に示すようにプラスチック製の桶Ｉを支持脚Ｋにセットし、桶Ｉの中に花生け器Ｊを入れる。
（２）桶Ｉ内に水を入れて花生け器Ｊに水を十分に含ませる。桶Ｉ内の花生け器Ｊに生花ｆを挿す。このとき、一部には生花ｆを挿さず、生花用照明式名札立ての支持棒１８を挿すためのスペースＳを確保しておく。
（３）花生け器Ｊに本願発明の生花用照明式名札立てを挿し込んで立てる。このとき、生花用照明式名札立ての背面ケース１１の支持部１７に挿し込んだ支持棒１８を、花生け器Ｊに挿された生花ｆの背後に挿しこむ。生花用照明式名札立ての名札１が生花ｆで隠れないように、名札１を生花ｆの上方に突出させる。
（４）図５（ｃ）に示すように、光源１６の電源コード１９のプラグを電源コンセントに挿し込み、電源スイッチを入れて光源１６を点灯させ、名札１をその背面から照明して、名札１に表示されている提供者名を鮮明に表示させる。
【産業上の利用可能性】
【００２９】
生花用照明式名札立ての背面ケース１１は、既存の枠体Ｅ（図６）に接合可能な構造とすることもできる。この場合、既存の枠体Ｅやそのそれを成型する金型といった設備を活用できるので、それらの無駄は無く経済的である。
【符号の説明】
【００３０】
１      名札
２      名札ケース
３      周枠
３ａ    縦材
３ｂ    縦材
３ｃ    底材（横材）
４      屋根（ひさし）
５      名札スリット
６      縦溝
７      縦溝
８      底溝
９      名札出し入れ口
１０    開口部
１１    背面ケース
１１ａ  上蓋
１１ｂ  下蓋
１２    反射板（照明具）
１３    反射板（照明具）
１４    光源取付け部
１５    空間
１６    光源
１６ａ  光源装着具（蛍光灯用ソケット）
１７    支持部
１７ａ  上支持具
１７ｂ  下支持具
１８    支持棒
１９    電源コード
２０    ＬＥＤ
２１    透光板
２２    拡散板（照明具）
Ａ      名札立て
Ｂ      名札
Ｃ      名札収納ケース
Ｄ      支持棒
Ｅ      枠体（フレーム）
Ｆ      背板
Ｇ      屋根
Ｈ      スリット
Ｉ      桶
Ｊ      花生け器
Ｋ      支持脚
ｆ      生花
【手続補正２】
【補正対象書類名】特許請求の範囲
【補正対象項目名】全文
【補正方法】変更
【補正の内容】
【特許請求の範囲】
【請求項１】
葬儀用生花を生ける桶内に差し込んで葬儀用生花の上方に突出させる葬儀用名札立てにおいて、
葬儀用名札立ては、葬儀用生花提供者名が表示された名札を出し入れ可能な名札ケースと、その名札ケースを支持する支持棒と、名札ケースに入れた名札をその背面から照明する照明装置を備え、
前記名札ケースは、底枠材と両側枠材と両側枠材側に下り傾斜となる屋根とで囲われた縦長方形の周枠であり、
前記屋根に、上部が前記屋根の下り傾斜角度と同じ傾斜角度で下り傾斜する山形であり、表面が木目模様である既存の名札を差込み可能な名札出し入れ口が開口され、
前記側枠材の肉厚内に、前記名札出し入れ口から差込まれる名札の幅方向側縁を差込み可能な縦溝が、前記名札出し入れ口に連通して縦向きに設けられ、前記底枠の肉厚内に、前記縦溝に差込まれた名札の底縁を差込み可能な底溝が、前記縦溝の下端に連通して設けられて、前記名札出し入れ口から差込まれた名札の上縁部がその名札出し入れ口内に、両側縁部が前記縦溝内に、底縁部が前記底溝に夫々支持されるようにしてあり、
前記周枠は底枠材と両側枠材と屋根で囲われた内側を開口させ、その開口部を視認部として、前記名札出し入れ口から前記縦溝及び前記底溝に差込まれて名札出し入れ口、縦溝、底溝に支持された名札の表面に表示されている葬儀用生花提供者名が前記視認部から視認できるようにすると共に名札の背面から照射されて名札の先方に透過する照射光がその開口部から外部に透過できるようにし、
前記照明装置は、前記名札ケースの背面に設けられた縦長の背面ケースと、背面ケース内の光源取付け部に縦向きに取付けられた蛍光灯と、背面ケース内面に設けられた反射面を備え、
前記背面ケースは縦長であり上下及び周囲が閉塞されて前面が開口し、その開口前面を前記視認部に対向させて前記名札ケースの背面に取付けられ、前記反射面が前記背面ケースの内面に設けられ、前記反射面は前記視認部に向けて配置されて前記蛍光灯からの光を視認部に向けて反射して、名札をその背面から照明できるようにしてあり、
前記背面ケースの外側に二以上の支持部が設けられ、それら二以上の支持部は前記背面ケースに上下に離れて設けられ、
前記支持棒は縦長であり、支持棒の上部は前記二以上の支持部に脱着可能であり、
前記支持部へ支持棒上部を取付けると背面ケースの底面よりも下方まで突出する支持棒の突出部は前記桶内に挿し込むことができ、その挿し込みにより前記名札ケースが前記桶内の葬儀用生花の上方に突出する長さである、
ことを特徴とする葬儀用照明式名札立て。
【請求項２】
葬儀用生花を生ける桶内に差し込んで葬儀用生花の上方に突出させる葬儀用名札立てにおいて、
葬儀用名札立ては、葬儀用生花提供者名が表示された名札を出し入れ可能な名札ケースと、その名札ケースを支持する支持棒と、名札ケースに入れた名札をその背面から照明する照明装置を備え、
前記名札ケースは、底枠材と両側枠材と両側枠材側に下り傾斜となる屋根とで囲われた縦長方形の周枠であり、
前記屋根に、上部が前記屋根の下り傾斜角度と同じ傾斜角度で下り傾斜する山形であり、表面が木目模様である既存の名札を差込み可能な名札出し入れ口が開口され、
前記側枠材の肉厚内に、前記名札出し入れ口から差込まれる名札の幅方向側縁を差込み可能な縦溝が、前記名札出し入れ口に連通して縦向きに設けられ、前記底枠の肉厚内に、前記縦溝に差込まれた名札の底縁を差込み可能な底溝が、前記縦溝の下端に連通して設けられて、前記名札出し入れ口から差込まれた名札の上縁部がその名札出し入れ口内に、両側縁部が前記縦溝内に、底縁部が前記底溝に夫々支持されるようにしてあり、
前記周枠は底枠材と両側枠材と屋根で囲われた内側を開口させ、その開口部を視認部として、前記名札出し入れ口から前記縦溝及び前記底溝に差込まれて名札出し入れ口、縦溝、底溝に支持された名札の表面に表示されている葬儀用生花提供者名が前記視認部から視認できるようにすると共に名札の背面から照射されて名札の先方に透過する照射光がその開口部から外部に透過できるようにし、
前記照明装置は、前記名札ケースの背面に設けられた縦長の背面ケースと、背面ケース内の光源取付け部に縦方向に取付けられたＬＥＤと、背面ケース内に設けられてＬＥＤからの光を拡散してその拡散光により前記名札をその背面から照明する拡散板を備え、
前記背面ケースは縦長であり上下及び周囲が閉塞されて前面が開口し、その開口前面を前記視認部に対向させて前記名札ケースの背面に取付けられ、前記反射面が前記背面ケースの内面に設けられ、前記反射面は前記視認部に向けて配置されて前記蛍光灯からの光を視認部に向けて反射して、名札をその背面から照明できるようにしてあり、
前記背面ケースの外側に二以上の支持部が設けられ、それら二以上の支持部は前記背面ケースに上下に離れて設けられ、
前記支持棒は縦長であり、支持棒の上部は前記二以上の支持部に脱着可能であり、
前記支持部へ支持棒上部を取付けると背面ケースの底面よりも下方まで突出する支持棒の突出部は前記桶内に挿し込むことができ、その挿し込みにより前記名札ケースが前記桶内の葬儀用生花の上方に突出する長さである、
ことを特徴とする葬儀用照明式名札立て。
【請求項３】
請求項２記載の葬儀用照明式名札立てにおいて、
ＬＥＤが、背面ケースの幅方向両側に設けられた光源取付け部に、その縦方向に間隔をあけて複数個取付けられた、
ことを特徴とする葬儀用照明式名札立て。
【請求項４】
請求項２又は請求項３記載の葬儀用照明式名札立てにおいて、
ＬＥＤが、背面ケースの上下に設けられた光源取付け部に、その横方向に間隔をあけて複数個取付けられた、
ことを特徴とする葬儀用照明式名札立て。